(57)【特許請求の範囲】
【請求項１】
支持軸により揺動可能に支持されて、前記支持軸に対して一方側に漏洩した液体を溜める皿状部が設けられ、他方側に漏洩の有無を表示する表示板が立設されたシーソー部材と、
前記シーソー部材に近接した位置に前記表示板に対向して立設され、前記皿状部に液体が貯留される前の前記シーソー部材の初期状態における前記表示板を、前記シーソー部材を挟んだ反対側から遮蔽する遮蔽板と、
前記遮蔽板の上端面の下方に設けられた貫通部である窓とを有し、
さらに前記遮蔽板の上端面は、前記皿状部に液体が貯留されることにより前記シーソー部材が回動されて最上位置に達した前記表示板の上端よりも上方に位置するように形成され、
前記皿状部に液体が貯留されることにより前記シーソー部材が回動されて上昇した前記表示板は、前記遮蔽板を挟んだ前記シーソー部材の反対側から前記窓を介して視認し得るように形成されていることを特徴とする漏洩検出表示装置。
【請求項２】
請求項１に記載の漏洩検出表示装置において、前記シーソー部材は、前記皿状部に漏洩した液体が溜まっていない状態で、平衡状態を保つように支持軸によって支持されていることを特徴とする漏洩検出表示装置。
【請求項３】
請求項１または請求項２に記載の漏洩検出表示装置において、前記表示板表面に彩色を施したことを特徴とする漏洩検出表示装置。
【発明の詳細な説明】
【技術分野】
【０００１】
本発明は、液体の漏洩を検出し表示する漏洩検出表示装置に関する。
【背景技術】
【０００２】
火力発電を行う火力発電所では、ボイラのバーナで燃料を燃やして蒸気を作り、その蒸気でタービンを回すことで、発電を行っている。
【０００３】
ボイラには燃料や蒸気などが通る多くの管材が使用されている。このような多数の管材を有するボイラを作動させていると、管材と管材の接合部あるいは管材と他の部品との接合部などで、使用されている燃料や蒸気などの液体が漏洩することがある。こうした液体の漏洩は、たとえばバーナ周辺の高温になる環境で起きると、場合によっては大事故につながってしまう。したがって液体の漏洩を確実に発見することが大変重要になる。
【０００４】
液体の漏洩を発見する液体漏洩検知装置として、装置内に設けられた一定量を溜めることのできる容器に漏洩した液体を溜め、容器の容量がいっぱいになると容器が回動して溜まった液体を排出し、その排出動作をカウントすることによって、装置内に流れ込んできた漏洩した液体の量を量ることのできる液体漏洩検知装置が提案されている（下記特許文献１参照）。
【０００５】
【特許文献１】特開平５−２２３６８３号公報
【発明の開示】
【発明が解決しようとする課題】
【０００６】
しかしながら、この液体漏洩検出装置は、変換機を使用しているため電源が必要であり、電源の無い環境では使えないという問題がある。また電気を用いて作動させるため、新たに運用コストがかかってしまうという問題がある。またリードスイッチや特殊な形状をした容器、永久磁石、変換機が用いられているなど構造が複雑であるため、故障した場合、修理に多大な経費がかかってしまう虞がある。
【０００７】
そうした液体漏洩検知装置が提案されている一方、現在火力発電所では、監視カメラによる監視や人間のパトロールによる監視で液体の漏洩を発見している。人間のパトロールは運営人数上の問題で頻度を高くすることができないため、監視カメラによる監視がメインとなっているのが現状である。
【０００８】
しかしながら監視カメラによる監視では、漏洩した液体の量が多量であれば発見できるが、漏洩した液体の量が微量だった場合は解像度が十分でない監視カメラを使用していると発見することが困難である。
【０００９】
そこで微量な液体の漏洩を発見するために、監視カメラを監視したい場所に接近させるという対処法が考えられる。しかしながら例えばバーナ近傍の高温部など、カメラが故障する虞がある場所には接近させることができず、こうした場所では微量な漏洩を発見することができないという状況に陥ってしまう。
【００１０】
解像度が高い新しい監視カメラを購入するという手段も考えられるが、新たにコストがかかってしまう。また上述した液体漏洩検知装置も導入、運用するとしても新たなコストがかかってしまう。
【００１１】
以上、火力発電所での問題を示したが、液体の漏洩が問題なのは火力発電所だけに限られた話ではなく、管材を使用している機械や施設でもコストをかけずに漏洩を発見する手段が望まれている。
【００１２】
本発明は、このような事情に鑑みてなされたものであり、微量であっても液体の漏洩の発生を検出することができて、遠方からでも漏洩の有無を判断することができる漏洩検出表示装置を提供することを目的とする。
【課題を解決するための手段】
【００１３】
上記課題を解決する本発明の第１の態様は、支持軸により揺動可能に支持されて、前記支持軸に対して一方側に漏洩した液体を溜める皿状部が設けられ、他方側に漏洩の有無を表示する表示板が立設されたシーソー部材と、前記シーソー部材に近接した位置に前記表示板に対向して立設され、前記皿状部に液体が貯留される前の前記シーソー部材の初期状態における前記表示板を、前記シーソー部材を挟んだ反対側から遮蔽する遮蔽板と、前記遮蔽板の上端面の下方に設けられた貫通部である窓とを有し、さらに前記遮蔽板の上端面は、前記皿状部に液体が貯留されることにより前記シーソー部材が回動されて最上位置に達した前記表示板の上端よりも上方に位置するように形成され、前記皿状部に液体が貯留されることにより前記シーソー部材が回動されて上昇した前記表示板は、前記遮蔽板を挟んだ前記シーソー部材の反対側から前記窓を介して視認し得るように形成されていることを特徴とする漏洩検出表示装置にある。
【００１４】
かかる第１の態様では、漏洩の有無を表示板の露出状態の変化という形に変換して表現する。これにより明確に且つ容易に漏洩の有無を認識することができる。また、漏洩が発生していないと表示板は露出しないが、漏洩が発生すると表示板が露出する。したがって明確に且つ容易に漏洩の有無を認識することができる。
【００１７】
本発明の第２の態様は、第１の態様の漏洩検出表示装置において、前記シーソー部材は、前記皿状部に漏洩した液体が溜まっていない状態で、平衡状態を保つように支持軸によって支持されていることを特徴とする漏洩検出表示装置にある。
【００１８】
かかる第２の態様では、漏洩した液体が微量であっても容易にシーソー部材が回動する。したがって漏洩した液体が微量であっても正確に漏洩の有無を認識することができる。
【００１９】
本発明の第３の態様は、第１または第２の態様の漏洩検出表示装置において、前記表示板表面に彩色を施したことを特徴とする漏洩検出表示装置にある。
【００２０】
かかる第３の態様では、遠方からでも明確に漏洩の有無を認識することができる。
【発明の効果】
【００２１】
かかる本発明の漏洩検出表示装置では、表示板の露出状態の変化を確認することで、漏洩の有無が容易にわかる。また平衡状態で保たれたシーソー部材を使うことで、漏洩した液体が微量であっても発見することができる。また表示板に彩色が施されているため、遠方からでも漏洩の有無を判断することができる。
【発明を実施するための最良の形態】
【００２２】
以下、本発明の実施形態を図面に基づき詳細に説明する。なお、本発明に係る漏洩検出表示装置は、配管の接続部等からの漏洩の有無を確認するための装置であり、その設置場所は特に限定されないが、以下、設置場所として火力発電所を例示する。
【００２３】
（実施形態１）
図１は、実施形態１に係る漏洩検出表示装置の配置図である。本実施形態に係る漏洩検出表示装置１０は、図１に示すように、火力発電所におけるバーナ６０の下部に設置される。バーナ６０には、燃料である油が流れる配管６２と、噴霧蒸気が流れる配管６３が接続されており、これら配管６２，６３とバーナ６０との接合部６１からは、燃料である油や蒸気が凝縮した水（ドレン）等の液体が漏洩する虞がある。
【００２４】
本実施形態に係る漏洩検出表示装置１０は、このような油やドレン等の液体の漏洩の有無を確認するものであり、バーナ６０下部、具体的には、バーナ６０と配管６２及び配管６３との接合部６１の下部に設置されて使用される。そして、詳しくは後述するが、この漏洩検出表示装置１０を監視カメラ７０で監視することで、遠方からであっても液体の漏洩の有無を容易に確認することができるようになっている。
【００２５】
図２は、本実施形態に係る漏洩検出表示装置１０の外観斜視図である。図２に示すように、本実施形態に係る漏洩検出表示装置１０は、底板２０上に立設される一対の支柱３０間に支持される支持軸３１と、シーソー部材４０と、シーソー部材４０に近接した位置に底板２０上に立設される遮蔽板５０とを有する。
【００２６】
支持軸３１は円柱状の部材であって一対の支柱３０間に略水平方向に沿って配設されており、シーソー部材４０は、この支持軸３１に揺動可能に支持されている。シーソー部材４０は、本実施形態では、金属板で形成されており、その中央部を曲折することで形成された係合凹部４３と支持軸３１とが係合することで揺動可能に支持されている。
【００２７】
シーソー部材４０の支持軸３１に対する一方側には、液体の漏洩状態を表示する表示板４１が設けられ、他方側には、漏洩した液体が貯留される皿状部４２が設けられている。表示板４１は、本実施形態では、金属板で形成されたシーソー部材４０の端部を支持軸３１の軸方向に沿って曲折することによって形成されている。そして、この表示板４１の表面、つまり、シーソー部材４０の外側に向かう表面には彩色が施されている。具体的には、表示板４１には、その表面を斜めに分割するように黄色と黒の警戒色が施されている。
【００２８】
一方、皿状部４２は、シーソー部材４０の支持軸３１よりも他方側を折り曲げて作成され、本実施形態では、支持軸３１よりも他端側全体が皿状部４２となっている。この皿状部４２の形状は、漏洩した液体を溜めることができる形状であれば、特に限定されるものではない。
【００２９】
これら表示板４１及び皿状部４２は、上述のように金属板からなるシーソー部材４０に曲げ加工を施すことによって形成されている。例えば、本実施形態では、図３に示すような長方形の金属板を、各折れ線に沿って山折り又は谷折りすることによって、シーソー部材４０、表示板４１及び皿状部４２を一体的に形成している。勿論、シーソー部材４０、表示板４１及び皿状部４２は、それぞれ別々に作成して接合するようにしてもよい。
【００３０】
そして、本実施形態に係るシーソー部材４０は、金属板を折り曲げることによって表示板４１及び皿状部４２と共に一体的に形成されていることで、全体形状が山型となっている。つまり、シーソー部材４０は、係合凹部４３を頂点として両端部が若干下方に位置するように支持軸３１に支持されている。さらに、シーソー部材４０は、皿状部４２に液体が溜まっていない状態で平衡を保つように支持軸３１に支持されている。上述したようにシーソー部材４０が山型に形成されていることで、シーソー部材４０を比較的容易に平衡状態に保持することができる。
【００３１】
このようなシーソー部材４０は、液体の漏洩が発生すると、皿状部４２に漏洩した液体が溜まり、溜まった液体に依る重力によって発生した力のモーメントにより回動する。そして、このようにシーソー部材４０が回動することで、後述するように液体の漏洩を容易に確認することができる。
【００３２】
なお、シーソー部材４０は上述のように山型に形成されているが、係合凹部４３を頂点とするシーソー部材４０の角度は、特に限定されるものではない。シーソー部材４０の安定性の面からは、この角度を比較的小さくするのが好ましい。また、微量の漏洩でシーソー部材４０を回動させるという面からは、この角度をできるだけ大きくして１８０度に近くなるようにするのが好ましい。これらのことを考慮して、シーソー部材４０の角度は適宜決定されればよい。また、このシーソー部材４０の角度に拘わらず、シーソー部材４０が平衡に保持された状態での皿状部４２の底面がシーソー部材４０の中央部から端部に向かって下り傾斜となっていることが好ましい。これにより、漏洩した液体が皿状部４２の何れの場所に滴下されても、その液体はシーソー部材４０の端部に流れ込むため、漏洩量が少量であってもシーソー部材４０が確実に回動するようになる。
【００３３】
遮蔽板５０は、シーソー部材４０に設けられた表示板４１に近接した位置に、表示板４１の表面に対向して底板２０上に立設され、その上部には窓５１が設けられている。そして、シーソー部材４０が所定位置に保持された状態、すなわちシーソー部材４０が平衡に保持されている状態では表示板４１の表面が遮蔽板５０によって遮蔽される。一方、液体の漏洩によりシーソー部材４０が回動し、それに伴って表示板４１が上昇した場合には、表示板４１の表面がこの遮蔽板５０の窓５１から露出されるようになっている。
【００３４】
ここで、漏洩検出表示装置１０は、上述したように監視カメラ７０によって監視されている。具体的には、監視カメラ７０は遮蔽板５０の外側遠方に配置され、この監視カメラ７０によって表示板４１の露出状態の変化が監視されている。つまり、表示板４１の表面が遮蔽板５０によって遮蔽されて監視カメラ７０から見えない状態にあるか、表示板４１の表面がこの遮蔽板５０の窓５１から露出されて監視カメラ７０から見える状態にあるかが監視されている。
【００３５】
そして、このような表示板４１の露出状態の変化を監視することで、液体の漏洩の有無を容易に確認することができる。すなわち、表示板４１の露出状態の変化により漏洩の有無が明確に表現されるため、遠方からでも液体の漏洩の有無を容易に確認することができる。
【００３６】
以下、本実施形態に係る漏洩検出表示装置の動作を説明する。なお、図４は漏洩が発生していないときの漏洩検出表示装置を示す図であり、図５は漏洩が発生したときの漏洩検出表示装置を示す図である。また図４、図５は、ともに（ａ）が漏洩検出表示装置の長手方向の断面図であり、（ｂ）は監視カメラから見た遮蔽板と表示板との位置関係を示す図である。
【００３７】
液体の漏洩が発生していないときは、図４に示すように、シーソー部材４０は平衡状態に保たれて静止している。このとき、表示板４１の表面は、遮蔽板５０の窓５１よりも下方に位置して遮蔽板５０によって遮蔽された状態となっている。つまり、表示板４１の露出状態は、表示板４１の表面が監視カメラ７０から見えない状態となっている。
【００３８】
そして、このような状態で接合部６１から液体が漏洩すると、図５に示すようにシーソー部材４０が回動する。具体的には、接合部６１から漏洩が発生しシーソー部材４０に配設された皿状部４２に漏洩した油やドレンが溜まり、その重力によってシーソー部材４０に力のモーメントが発生する。これにより支持軸３１を中心にシーソー部材４０が回動し、シーソー部材４０（皿状部４２）が底板２０に接地することで停止する。そして、シーソー部材４０の回動に伴って表示板４１が上昇することで、表示板４１の表面が遮蔽板５０の窓５１から露出される。つまり、表示板４１の露出状態は、表示板４１の表面が監視カメラ７０から見えている状態に変化する。
【００３９】
このような表示板４１の露出状態の変化を監視カメラ７０によって監視しておけば、液体の漏洩の有無を容易に判断することができる。また、本実施形態では、シーソー部材４０が皿状部４２に液体が溜まっていない状態で平衡に保持されているようにしている。このため、漏洩量が微量であってもシーソー部材４０は容易に回動し、表示板４１の露出状態が確実に変化する。したがって、漏洩量が微量であっても液体の漏洩を確実に発見することができる。勿論、発見したい漏洩量によっては、シーソー部材４０は必ずしも平衡状態に保持されている必要はない。
【００４０】
また、本実施形態では、表示板４１表面に、黒と黄色の警戒色を施すようにしたので、表示板４１が遮蔽された状態か露出された状態かを監視カメラ７０によって極めて容易に判定することができる。表示板４１の表面に施した彩色は、勿論、黒と黄色との２色である必要はない。また、表示板４１の表面には単に彩色を施すだけでなく、例えば、文字を記載するようにしてもよい。何れにしても、監視カメラ７０によって表示板４１の表面を認識し易い彩色が施されていればよい。
【００４１】
さらに、遮蔽板５０の窓５１を表示板４１よりも小さく形成し、液体の漏洩が発生した場合に窓５１が表示板４１によって完全に塞がれるようにしている。このため、窓５１から表示板４１の後ろ側が見えるなどの不明瞭な状態にならない。したがって液体の漏洩の発生をより明確に判断することができる。
【００４２】
なお、上述したように漏洩検出表示装置１０は、金属板等によって形成される極めて簡単な構造を有するものであるため、火力発電所などのように極めて高温となる場所にも設置が可能である。また、シーソー部材４０、表示板４１及び皿状部４２は一枚の金属板で一体に作成することができるため、製作コストが安く抑えられるという効果もある。さらに電源を必要としないため、ランニングコストの削減を図ることもできる。
【００４３】
勿論、本発明の漏洩検出表示装置１０は、監視カメラ７０による監視だけでなく、人間によるパトロール時にも同様の効果を発揮する。
【００４４】
（他の実施形態）
以上、本発明の一実施形態について説明したが、本発明は上述の実施形態に限定されるものではない。
【００４６】
また、上述の本実施形態では、液体の漏洩が発生していないときは表示板４１の表面が遮蔽板５０で遮蔽され、液体の漏洩が発生すると遮蔽板５０の窓５１から表示板４１の表面が露出されるようにしたが、これに限定されるものではなく、逆の構成としてもよい。具体的には、図６に示すように、遮蔽板５０Ａの下部に窓５１Ａを設けて液体の漏洩が発生していないときは表示板４１が遮蔽板５０Ａの窓５１Ａから露出されるようにし、液体の漏洩が発生すると表示板４１表面が遮蔽板５０Ａで遮蔽されるようにしてもよい。このような構成としても、液体の漏洩の有無を容易且つ確実に判断することができる。
【００４７】
また、上述の実施形態では、バーナ６０の接合部６１に漏洩検出表示装置１０を使用した例を説明したが、この限りではなく、本発明の漏洩検出表示装置１０は、漏洩が発生する場所なら何れの場所においても使用することができる。
【図面の簡単な説明】
【００４８】
【図１】本発明の実施形態１に係る漏洩検出表示装置の配置図である。
【図２】本発明の実施形態１に係る漏洩検出表示装置の外観斜視図である。
【図３】本発明の実施形態１に係るシーソー部材の作成方法を示す図である。
【図４】本発明の実施形態１に係る漏洩検出表示装置の動作状態を示す図である。
【図５】本発明の実施形態１に係る漏洩検出表示装置の動作状態を示す図である。
【図６】本発明の他の実施形態に係る漏洩検出表示装置の外観斜視図である。
【符号の説明】
【００４９】
１０  漏洩検出表示装置
２０  底板
３０  支柱
３１  支持軸
４０  シーソー部材
４１  表示板
４２  皿状部
４３  係合凹部
５０  遮蔽板
５１  窓
６０  バーナ
６１  接合部
６２  配管
６３  配管
７０  監視カメラ
【図１】
0005273958.tif 000002
【図２】
0005273958.tif 000003
【図３】
0005273958.tif 000004
【図４】
0005273958.tif 000005
【図５】
0005273958.tif 000006
【図６】
0005273958.tif 000007